(57)【要約】【課題】記録アスペクト比と選択したアナモフィックレンズのレンズ圧縮比によっては、ユーザーが意図しない、被写体像の縦横比率が１：１でない画像や画角の狭いの画像が撮影されてしまう場合がある。【解決手段】アナモフィックレンズユニットからレンズの圧縮比情報を取得可能な撮像装置は、レンズの圧縮比情報と記録画像のアスペクト比情報からポストプロセス後の画像のアスペクト比を予め算出し、そのアスペクト比が所望のアスペクト比との差分が大きい場合に、ユーザーに警告する。【選択図】図６
2020036248.tif 000002
【特許請求の範囲】
【請求項１】
着脱可能なレンズユニットとカメラユニットで構成される撮像装置において、
カメラユニットは、ユーザーに警告を行う警告通知部と、
カメラユニットが記録する画像の水平、垂直サイズ情報を取得する第一のサイズ情報取得手段と、
レンズユニットから光学的な水平、垂直の圧縮比情報を取得するレンズ情報取得手段と、
第一のサイズ情報取得手段から取得した画像のサイズを、レンズ情報取得手段から取得した圧縮比の逆数で伸張した場合の水平、垂直サイズ情報を取得する第二のサイズ情報取得手段と、
第二のサイズ情報取得手段から得られる第一のアスペクト比とシネマスコープのアスペクト比である第二のアスペクト比を比較する比較手段と、
を備え、第一のアスペクト比が第二のアスペクト比に対し、所定範囲外である場合は、カメラユニットが記録するサイズ情報とレンズユニットの組み合わせが適切でない警告を警告通知部に通知することを特徴とする撮像装置。
【請求項２】
着脱可能なレンズユニットとカメラユニットで構成される撮像装置において、
カメラユニットは、ユーザーに警告を行う警告通知部と、
カメラユニットが記録する画像の水平、垂直のアスペクト情報を取得する第一のアスペクト情報取得手段と、
レンズユニットから光学的な水平、垂直の圧縮比情報を取得するレンズ情報取得手段と、
第一のアスペクト情報取得手段から取得したアスペクトの画像を、レンズ情報取得手段から取得した圧縮比の逆数で伸張した場合の水平、垂直のアスペクト情報を取得する第二のアスペクト情報取得手段と、
第二のアスペクト情報取得手段から得られる第一のアスペクト比とシネマスコープのアスペクト比である第二のアスペクト比を比較する比較手段と、
を備え、第一のアスペクト比が第二のアスペクト比に対し、所定範囲外である場合は、カメラユニットが記録するアスペクト情報とレンズユニットの組み合わせが適切でない警告を警告通知部に通知することを特徴とする撮像装置。
【請求項３】
上記警告通知部は表示部を備えており、上記警告は表示部への画面表示であることを特徴とする請求項１又は２に記載の撮像装置。
【請求項４】
上記第一のアスペクト比が上記第二のアスペクト比より小さくなる場合は、上記警告の画面表示に、警告がでない推奨アスペクト比の記録画像とするための設定変更情報を表示することを特徴とする請求項１乃至３の何れか一項に記載の撮像装置。
【発明の詳細な説明】
【技術分野】
【０００１】
本発明は、記録画像の記録アスペクト比切り替えが可能で、アナモフィックレンズ（Anamorphic Lens）光学系の利用が可能な撮像装置および撮像装置の制御方法に関する。
【背景技術】
【０００２】
近年、映画をはじめとする映像制作の現場で撮像素子を搭載した、いわゆるデジタルシネマカメラが普及している。デジタルシネマカメラの特徴の一つとして、撮像素子の読み出し時の駆動を変えたり、記録時の切り出し制御を変えることで、様々なアスペクト比の映像を撮影することが可能な点が挙げられる。
【０００３】
一方で、映像制作において、映像表現の幅を広げる手段の一つとして、アナモフィックレンズを使った撮影がある。アナモフィックレンズは、光学的に垂直方向と水平方向の圧縮比が異なるレンズである。その主な用途はアスペクト比２．３９：１のシネマスコープ用横長画像を撮影するためである。
【０００４】
まずアナモフィックレンズの圧縮比と圧縮率について説明する。図７ｃはアナモフィックレンズにより圧縮された像の圧縮比を模した図である。以降、圧縮比は像の水平：垂直の長さの比を示すため、図のレンズの圧縮比は「Ａ：Ｂ」と表す。圧縮率は像の水平方向の長さ基準で垂直方向の長さを表すため圧縮率は「Ｂ／Ａ」で表す。
【０００５】
アナモフィックレンズの圧縮比は１．３３倍、１．５倍、２倍など様々な種類が存在する。例えば、圧縮比２倍のレンズは像が水平方向に１／２圧縮された状態で光が入射する。そのため記録画像は縦長の画像となる。映像制作において圧縮された記録画像に対し、後処理（ポストプロセス）を施し、色、輝度などの補正処理を行う。この際に、圧縮された画像を伸張し、縦横が同倍率となる処理も合わせて施す。
【０００６】
アナモフィックレンズの圧縮比と、デジタルシネマカメラの記録アスペクト比が適切な組み合わせの場合、２．３９：１の記録が可能となる。
【０００７】
例えば、圧縮比が１．３３倍、つまり水平方向に３／４圧縮するアナモフィックレンズを搭載し、記録アスペクト比が１６：９（＝１．７８：１）の場合、ポストプロセスにおいてレンズの圧縮率の逆数の４／３倍の伸張処理を行うことで、画像のアスペクト比は
（１６／９）×（４／３）≒２．３７
となり、ほぼシネマスコープのアスペクト比２．３９：１に近い画像が得られる。
【０００８】
記録アスペクト比を変えると、アナモフィックレンズの圧縮比も変える必要がある。記録アスペクト比と光学系の組み合わせが変わった場合に光学系の種類に応じて、自動的に記録アスペクト比を変更したり、画像の縦横回転を制御する撮像装置が知られている（特許文献１）
【先行技術文献】
【特許文献】
【０００９】
【特許文献１】特開２０１０−１１４５６５号公報
【発明の概要】
【発明が解決しようとする課題】
【００１０】
しかしながら、上記従来例では、記録アスペクト比と選択したレンズ（光学系）の組み合わせで記録画像のアスペクト比が所望の値とならない場合に対し、組み合わせの効果をユーザーが知るすべたない。そのため、不適切な組み合わせのまま記録してしまい、再生処理や後処理の段階で気がつくという課題がある。
【００１１】
本発明は、かかる問題を鑑みてなされたものであって、光学系と記録アスペクト比の組み合わせで、ユーザーの期待と異なる記録結果となることをユーザーに知らしめて、誤操作を防止する撮像装置および撮像装置の制御方法を提供することを目的とする。
【課題を解決するための手段】
【００１２】
上記の目的を達成するために、本発明に係る撮像装置は、
着脱可能なレンズユニットとカメラユニットで構成される撮像装置において、
カメラユニットは、ユーザーに警告を行う警告通知部と、
カメラユニットが記録する画像の水平、垂直サイズ情報を取得する第一のサイズ情報取得手段と、
レンズユニットから光学的な水平、垂直の圧縮比情報を取得するレンズ情報取得手段と、
第一のサイズ情報取得手段から取得した画像のサイズを、レンズ情報取得手段から取得した圧縮比の逆数で伸張した場合の水平、垂直サイズ情報を取得する第二のサイズ情報取得手段と、
第二のサイズ情報取得手段から得られる第一のアスペクト比とシネマスコープのアスペクト比である第二のアスペクト比を比較する比較手段と、を備え、
第一のアスペクト比が第二のアスペクト比に対し、所定範囲外である場合は、カメラユニットが記録するサイズ情報とレンズユニットの組み合わせが適切でない警告を警告通知部に通知することを特徴としている。
【００１３】
また本発明に係る撮像装置の他の特徴とするところは、
着脱可能なレンズユニットとカメラユニットで構成される撮像装置において、
カメラユニットは、ユーザーに警告を行う警告通知部と、
カメラユニットが記録する画像の水平、垂直のアスペクト情報を取得する第一のアスペクト情報取得手段と、
レンズユニットから光学的な水平、垂直の圧縮比情報を取得するレンズ情報取得手段と、
第一のアスペクト情報取得手段から取得したアスペクトの画像を、レンズ情報取得手段から取得した圧縮比の逆数で伸張した場合の水平、垂直のアスペクト情報を取得する第二のアスペクト情報取得手段と、
第二のアスペクト情報取得手段から得られる第一のアスペクト比とシネマスコープのアスペクト比である第二のアスペクト比を比較する比較手段とを備え、
第一のアスペクト比が第二のアスペクト比に対し、所定範囲外である場合は、カメラユニットが記録するアスペクト情報とレンズユニットの組み合わせが適切でない警告を警告通知部に通知することを特徴としている。
【００１４】
また、本発明に係る撮像装置の第一から第二の発明において、
警告通知部は表示部を備えており、警告は表示部への画面表示であることを特徴としている。
【００１５】
また、本発明の撮像装置は第一から第三の発明において、
第一のアスペクト比が第二のアスペクト比より小さくなる場合は、警告の画面表示に、警告がでない推奨アスペクト比の記録画像とするための設定変更情報を表示することを特徴としている。
【発明の効果】
【００１６】
以上説明したように、本発明に係る撮像装置によれば、アナモフィックレンズの圧縮比と記録アスペクト比の組み合わせが変更可能な撮像装置において、撮影後のポストプロセスで伸張され得られる画像のアスペクト比をシネマスコープのアスペクト比と比較し、その結果が異なる場合に、誤った組み合わせであることを撮影者に対し警告して、誤った条件の撮影が行われることを防ぐことが可能である。
【図面の簡単な説明】
【００１７】
【図１】第１の実施形態に係るレンズユニット１００とカメラユニット２００からなる撮像装置と後処理工程を行うＰＣとの構成を示すブロック図
【図２】第１の実施形態に係るレンズユニット１００とカメラユニット２００からなる撮像装置の構成を示すブロック図
【図３】アナモフィックレンズ装着時の記録画像とポストプロセス後の画像のアスペクト比および画角を比較した図
【図４】第１の実施形態に係る警告画面の例を示す図
【図５】第１の実施形態に係るレンズユニット１００とカメラユニット２００の間の通信処理のシーケンスを示す図
【図６】第１の実施形態に係るカメラユニット２００内の警告画面の制御フローを示す図
【図７】第１の実施形態に係る記録画像のサイズ、アナモフィックレンズの圧縮比、ポストプロセス後の画像サイズ、表示装置２０７の表示解像度、表示装置２０７にポストプロセス後と同じアスペクト比で画像を表示した場合の画像サイズを示した図
【発明を実施するための形態】
【００１８】
以下、本発明を実施するための形態について、図面を参照しながら説明する。
【００１９】
＜第１の実施形態＞
本発明の撮像装置をレンズ交換式のビデオカメラに適用した実施形態について説明する。図１は第１の実施形態に係るレンズユニット１００とカメラユニット２００からなる撮像装置と後処理工程を行うポストプロセス環境３００との構成を示すブロック図である。
【００２０】
レンズユニット１００はレンズ１０１を始めとする光学系で構成されている。またカメラユニット２００は撮像素子２０１、画像信号処理部２０２、符号化処理部２０３、記録メディア２０４などから構成されている。レンズユニット１００およびカメラユニット２００の説明は後述する。
【００２１】
ポストプロセス環境３００はＰＣ（パーソナルコンピュータ、Personal Computer）とＰＣ上で動作するアプリケーションプログラムで構成されるシステムである。
【００２２】
アプリケーションプログラムは記録メディア２０４に保存された動画像データに画像処理を施した後、所望の画像フォーマットで動画像データを出力する機能を有している。
【００２３】
次に図２について説明する。図２はレンズユニット１００およびカメラユニット２００の構成の詳細を示すブロック図である。レンズユニット１００はレンズ１０１および通信部１０２で構成されている。レンズ１０１は後述する撮像素子面上で被写体像を結像させる光学系である。通信部１０２を経由してレンズユニット１００はカメラユニット２００と双方向通信を行う。
【００２４】
カメラユニット２００は撮像素子２０１、画像信号処理部２０２、符号化処理部２０３、記録メディア２０４、通信部２０５、表示部２０６、表示装置２０７、システムコントローラ２０８から構成されている。
【００２５】
撮像素子２０１はレンズユニット１００経由で入射した被写体像について光電変換を行い映像信号を出力する。撮像された映像信号は画像信号処理部２０２へ入力される。画像信号処理部２０２は入力された映像信号に対し、信号の補正処理、輝度成分や色成分に対する各種画像処理、拡大縮小などのスケーリング処理を行う。処理された映像信号はビデオフレームデータ（以下、ビデオデータ）として符号化処理部２０３および表示部２０６へ入力される。
【００２６】
カメラユニット２００は通信部２０５を経由してレンズユニット１００と双方向通信を行う。レンズユニット１００とカメラユニット２００の間の双方向通信において、レンズユニット１００は、レンズユニットの種別情報（ＩＤ）、光学系の機能および特性情報、光学系の状態情報を送信する。カメラユニット２００は、レンズユニット１００の各種情報取得コマンド、光学系の制御情報を送信する。
【００２７】
符号化処理部２０３は、映像の記録動作時は入力された映像信号を所定のフォーマットで符号化処理を行い、符号化データを記録メディア２０４へ書き込む。また記録映像の再生動作時は記録メディア２０４から記録済みの符号化データを読みだし、復号化処理を行ってビデオデータに変換する。復号化されたビデオデータは表示部２０６へ入力される。
【００２８】
表示部２０６は入力されたビデオデータを表示装置２０７が表示するビデオフォーマットに変換し出力する。またシステムコントローラ２０８からの指示に従いＧＵＩ（Graphical User Interface）データを生成する。
【００２９】
生成したＧＵＩデータはビデオデータに変換され、表示部２０６に入力されたビデオデータに重畳して出力される。さらに入力ビデオデータを指定サイズへ縮小拡大するリサイズ処理を行う。また表示装置の表示アスペクト比と異なるビデオデータを表示する場合は余白部を黒レベルのビデオデータで塗りつぶす処理も行う。
【００３０】
表示装置２０７は液晶ディスプレイなどのディスプレイを含み、入力されたビデオフォーマットの信号をディスプレイに表示する。本発明の実施形態において表示装置２０７は１６：９のアスペクト比を有する。
【００３１】
システムコントローラ２０８はカメラユニット２００内の制御を行う。通信部２０５に対してレンズユニット１００への通信開始指示と送信コマンドの決定、受信データの判別を行う。画像信号処理部２０２に対して各種画像処理に必要なパラメータ値の設定を行う。表示部２０６に対してＧＵＩデータ生成に必要な描画の指示を行う。
【００３２】
図３は、レンズユニット１００として圧縮率が４／３のアナモフィックレンズの場合に、記録メディア２０４に記録される画像とポストプロセス環境３００で処理した後の画像のアスペクト比、画角を比較した図である。
【００３３】
図３ａは記録アスペクト比１６：９（約１．７８：１）で記録した時の記録メディア２０４に保存される画像の例である。
【００３４】
この時、水平方向に画像が圧縮される。例えば、正方の被写体は縦長となって記録される。
【００３５】
図３ａをポストプロセス環境３００の処理で水平方向にアナモフィックレンズの圧縮率で水平方向に伸張した画像が図３ｂである。伸張により被写体の縦横比が１：１となり、アスペクト比２．３６：１の画像が得られる。
【００３６】
図３ｃは記録アスペクト比４：３（約１．３３：１）で記録した時の記録メディア２０４に保存される画像の例である。
【００３７】
この時も水平方向に画像が圧縮される。図３ａに対し、画面中央部を切り出した状態で記録される。例えば、正方の被写体は縦長の矩形となり、さらに左右の余白が少ない画角が記録される。
【００３８】
図３ｃをポストプロセス環境３００の処理で水平方向にアナモフィックレンズの圧縮率の逆数、１．３３倍で水平方向に伸張した画像が図３ｄである。伸張により被写体の縦横比が１：１となり、アスペクト比１６：９の画像が得られる。
【００３９】
つまり、圧縮率４／３倍のアナモフィックレンズを装着した場合、ポストプロセス環境３００の処理後にアスペクト比２．３６：１の画像を得るには、記録アスペクト比を１６：９にする必要がある。
【００４０】
もしユーザーが選択したアナモフィックレンズの圧縮比と記録アスペクト比の組み合わせが適切でない場合は、表示装置２０７に警告画面を表示し、ユーザーにレンズの交換あるいは記録アスペクト比の設定変更を促す。
【００４１】
図４は光学系として通常レンズもしくはアナモフィックレンズ、記録アスペクト比として４：３もしくは１６：９を選択した場合の警告画面を含む表示装置２０７に表示される画面を示した図である。
【００４２】
図４ａは通常レンズと記録アスペクト比１６：９の組み合わせ時の表示画面である。この時、画面には画像信号処理部２０２で処理されたビデオデータとそこに重畳して図４ｄに示すアスペクト比情報が表示される。図４ａのビデオデータはポストプロセス後のアスペクト比と表示装置２０７のアスペクト比が同じであるため、ビデオデータのアスペクト変換を行わず、リサイズ処理のみ行い表示される。
【００４３】
図４ｂはアナモフィックレンズと記録アスペクト比１６：９の組み合わせ時の表示画面である。この時、画面には画像信号処理部２０２で処理されたビデオデータとそこに重畳して図４ｄに示すアスペクト比情報と図４ｅに示す装着しているレンズユニット１００のアナモフィックレンズの圧縮率情報が表示される。図４ｂの映像信号はポストプロセス後のアスペクト比と表示装置２０７のアスペクト比が異なる。そのためポストプロセス後のアスペクト比で表示するようにビデオデータのアスペクト変換とリサイズ処理を行う。
【００４４】
図４ｃはアナモフィックレンズと記録アスペクト比４：３の組み合わせ時の表示画面である。この時、画面には画像信号処理部２０２で処理されたビデオデータに図４ｄのアスペクト比情報と図４ｅのアナモフィックレンズの圧縮率情報に加えて、図４ｆの警告情報が重畳される。警告情報は、ポストプロセス後の画像のアスペクト比がアナモフィックレンズの圧縮比を考慮した上で２．３９：１の比率であるか否かを判断し、表示の有無を決定する
ビデオデータはポストプロセス後のアスペクト比と表示装置２０７のアスペクト比が異なる。そのためポストプロセス後のアスペクト比を表示するようにビデオデータのアスペクト変換およびリサイズ処理を行う。この時、水平方向は表示装置２０７の表示解像度に合わせるため、水平方向の縮小量に対し、垂直方向の縮小量が多くなる。そのため垂直方向は上下に余白ができるが、その余白部を黒レベルのビデオデータで塗りつぶす処理を表示部２０６が行う。
【００４５】
次に表示装置２０７に表示される画像のサイズ、アスペクト比について説明する。圧縮比がＡ：Ｂであり、記録画像の水平記録解像度、垂直記録解像度がそれぞれＨ、∨であり、表示装置２０７の水平表示解像度、垂直表示解像度がＨｄ、∨ｄの場合、縦横比が１：１となるようにアナモフィックレンズで撮影した画像を縮小した表示画像サイズを図７に示す。
【００４６】
ポストプロセス後の水平画像サイズＨｐ、垂直画像サイズ∨ｐは
Ｈｐ＝Ｈ＊（Ｂ／Ａ）・・・（１）
Ｖｐ＝∨・・・（２）
となる（図７ａ参照）。この画像を表示装置２０７に表示する場合、水平方向に表示サイズを合わせる。よってと、水平表示画像サイズＨｐｄ、垂直表示画像サイズ∨ｐｄはそれぞれ
Ｈｐｄ＝Ｈｄ・・・（３）
Ｖｐｄ＝∨ｐ＊（Ｈｐ／Ｈｐｄ）＝（Ｈ／Ｈｄ）＊（Ｂ／Ａ）＊Ｖ・・・（４）
となる（図７ｂ参照）。
【００４７】
次に、図４で説明したアスペクト比情報とアナモフィックレンズの圧縮率情報に基づいた警告情報の判断処理について図５、図６を用いて説明する。
【００４８】
図５はレンズユニット１００とカメラユニット２００の間で通信部１０２と通信部２０５を介して行われる通信処理のシーケンス図である。
【００４９】
システムコントローラ２０８は、カメラユニット２００がレンズユニット１００と接続されたことを検出スイッチ（不図示）からの信号を検出する。検出状態である場合に通信処理を開始する。
【００５０】
まず認証通信を行い、レンズユニット１００とカメラユニット２００がそれぞれ相互通信可能な機器であるかの認証処理を行う。
【００５１】
処理５０１でカメラユニット２００はレンズユニット１００に対し認証通信のコマンドを送信する。
【００５２】
処理５０２でレンズユニット１００は認証通信のコマンドを受信し、コマンドが正しければ、認証通信の応答データを返信する。
【００５３】
処理５０３でカメラユニット２００はレンズユニット１００からの応答データを受信し、データから認証が成功したか否かを判断する。成功した場合、次のシーケンスへ遷移する。失敗した場合、認証通信をリトライする。
【００５４】
認証通信成功後、レンズ情報取得通信を行い、レンズユニット１００の情報を取得する。処理５０４でカメラユニット２００はレンズユニット１００に対し、レンズ情報取得コマンドを送信する。
【００５５】
処理５０５でレンズユニット１００はレンズ情報取得コマンドを受信し、コマンドが正しければ、レンズの種別を識別するレンズＩＤ、レンズの機能情報の応答データを返信する。レンズの機能情報にはアナモフィックレンズか通常レンズかを識別する情報が含まれている。
【００５６】
処理５０６でカメラユニット２００はレンズユニット１００からの応答データを受信する。
【００５７】
カメラユニット２００は取得したレンズの機能情報からレンズユニット１００がアナモフィックレンズである場合に、水平、垂直の圧縮比データの取得処理を行う。
【００５８】
次にアナモフィックレンズ圧縮比取得通信を行う。処理５０７でカメラユニット２００はレンズユニット１００に対しアナモフィックレンズの圧縮比データ取得コマンドを送信する。
【００５９】
処理５０８でレンズユニット１００はアナモフィックレンズの圧縮比データを返信する。圧縮比は２つのデータで構成されており、水平方向と垂直方向の比率を示すデータである。
【００６０】
処理５０９でカメラユニット２００はレンズユニット１００からの応答データを受信する。
【００６１】
受信した圧縮比データに基づき、システムコントローラ２０８は装着しているアナモフィックレンズと記録アスペクト比の組み合わせからポストプロセス後の画像のアスペクト比を決定し、所望のアスペクト比であるか否かの判断と組み合わせが不適切であることを警告する警告画面の表示処理を行う。
【００６２】
図６は図５の通信処理の結果から、システムコントローラ２０８が警告画面を含む表示画面制御を行うフローチャートである。表示画面制御は表示装置２０７の描画周期に同期して周期的に実行される制御である。
【００６３】
まず、ステップＳ６０１では認証通信の結果の応答データから接続しているレンズユニット１００が認証済みか否かを判断する。判断結果から認証済みであればステップＳ６０２へ進み、認証に失敗もしくは認証中の場合はステップＳ６０８へ進む。
【００６４】
ステップＳ６０２ではレンズの機能情報からレンズユニット１００がアナモフィックレンズか否かを判断する。アナモフィックレンズの場合はステップＳ６０３へ進み、そうでない場合はステップＳ６０８へ進む。
【００６５】
ステップＳ６０３ではアナモフィックレンズの圧縮比データが取得済みか否かを判別する。取得済みの場合ステップＳ６０４へ進み、そうでない場合はステップＳ６０８へ進む。
【００６６】
ステップＳ６０４ではアナモフィックレンズが装着されていることを示す図４ｅの画面表示を有効にする指示と圧縮比情報の表示指示を表示部２０６に出し、ステップＳ６０５へ進む。
【００６７】
ステップＳ６０５では取得済みのアナモフィックレンズの圧縮比データと記録画像のアスペクト比データからポストプロセス後の画像のアスペクト比を算出する。
【００６８】
ポストプロセス後の画像の水平、垂直画素サイズＨｐ、Ｖｐは式（１）、式（２）から
Ｈｐ＝Ｈ＊（Ｂ／Ａ）
Ｖｐ＝∨
であるから、水平／垂直の圧縮率をＲｐとすると
Ｈｐ：Ｖｐ＝Ｈｐ／Ｖｐ：１＝（Ｈ／∨）＊（Ｂ／Ａ）：１＝Ｒｐ：１・・・（５）
となる。算出するとステップＳ６０６へ進む。
【００６９】
ステップＳ６０６ではステップＳ６０５で算出した式（５）のアナモフィックレンズの圧縮比がシネマスコープのアスペクト比２．３９：１に対し所定範囲内にあるか否かを判断する。
【００７０】
例えば設計誤差を含めて±２％以内をＲｐの所定範囲内とするならば、その範囲は下記式（６）で表される。これは下記式（７）となり、Ｒｐがこの範囲内にあるかを判断する。
【００７１】
２．３９＊０．９８≦Ｒｐ≦２．３９＊１．０２・・・（６）
２．３４≦Ｒｐ≦２．４３・・・（７）
ここで評価用のアスペクト比は２．３９以外のものも選択可能とすれば、様々なアスペクト比の組み合わせが適切であるかの判断を行うことが可能である。
【００７２】
判断結果からアスペクト比が範囲外の場合はステップＳ６０７へ進み、範囲内にある場合はステップＳ６０９へ進む。
【００７３】
ステップＳ６０７では図４ｆのアスペクト比の警告表示を有効にする指示を表示部２０６に出し、処理を終了する。
【００７４】
ステップＳ６０８では図４ｅのアナモフィックレンズの装着表示を無効にする指示を表示部２０６に出し、ステップＳ６０９へ進む。
【００７５】
ステップＳ６０９では図４ｆのアスペクト比の警告表示を無効にする指示を表示部２０６に出し、処理を終了する。
【００７６】
上述の本発明の実施形態によれば、アナモフィックレンズの圧縮比と記録画像のアスペクト比の組み合わせがシネマスコープのアスペクト比に対して適切か否かの判断をカメラユニット２００が行い、その状態を操作者に通知することで、誤った組み合わせであることを操作者が速やかに気がつき、誤った撮影を防ぐことができる。
【００７７】
アナモフィックレンズの圧縮比情報もレンズユニット１００との通信結果から取得した情報を画面表示することで、圧縮比が異なるが外観上似たレンズを装着した場合であっても、誤った組み合わせによる撮影を防ぐことができる。
【００７８】
また、警告表示を行った際に適切なアスペクト比となるように記録アスペクト比の変更を促す画面表示を行うことも可能である。
【００７９】
上述の本発明の実施形態によれば、レンズ交換式のレンズユニット１００とカメラユニット２００の構成についてその実施形態を説明したが、光学系と撮像素子が一体型となった撮像装置において、光学系の前面の取り付けるアタッチメント方式のアナモフィックレンズの場合も考えられる。その場合、通信部１０２、通信部２０５ではなく、アタッチメントレンズユニットにスイッチを設け、そのスイッチの状態を撮像装置のシステムコントローラ２０８が検出してアタッチメントレンズユニットの装着状態、レンズの圧縮比情報を取得することが可能であり、光学系の構成に依らないことは言うまでもない。
【００８０】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００８１】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００８２】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００８３】
その場合、プログラムの機能を有していれば、オブジェクトコード、インタプリタにより実行されるプログラム、ＯＳに供給するスクリプトデータ等、プログラムの形態を問わない。
【００８４】
プログラムを供給するための記録媒体としては、例えば、ハードディスク、磁気テープ等の磁気記録媒体、光／光磁気記憶媒体、不揮発性の半導体メモリでもよい。
【００８５】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００８６】
１００  レンズユニット、２００  カメラユニット、
３００  ポストプロセス環境、１０１  レンズ、１０２  通信部、
２０１  撮像素子、２０２  画像信号処理部、２０３  符号化処理部、
２０４  記録メディア、２０５  通信部、２０６  表示部、
２０７  表示装置、２０８  システムコントローラ
【図１】
2020036248.tif 000003
【図２】
2020036248.tif 000004
【図３】
2020036248.tif 000005
【図４】
2020036248.tif 000006
【図５】
2020036248.tif 000007
【図６】
2020036248.tif 000008
【図７】
2020036248.tif 000009